(57)【要約】  【課題】  色校正処理に不用なカラーセットの情報を保持しなくてすみ、計算負荷が軽減されて、照明環境の変化にリアルタイムで対応することのできる色校正処理装置を提供する。  【解決手段】  色校正処理装置１は、ソースカラーとリファレンスカラーを含むカラーセット情報を記憶するカラーセット情報記憶部１１と、二つのカメラ２で撮影された各ソース画像から特定のソース領域を選択する領域選択部６と、ソース領域を代表する色としてソース領域カラーを決定する領域カラー決定部７と、ソース領域カラーを用いてカラーセットのソースカラーを更新するカラーセット更新部１０と、カラーセットを用いて二つのソース画像のうちソースカラーと類似範囲内の色をリファレンスカラーに校正する色校正部８を備える。【選択図】  図１
2007194802.tif 000002
【特許請求の範囲】
【請求項１】
色校正の対象となるソースカラーの色情報と、色校正後のリファレンスカラーの色情報を含むカラーセット情報を記憶するカラーセット情報記憶手段と、
前記カラーセットを用いて、複数の撮像装置で撮影された各ソース画像のうち前記ソースカラーと類似範囲内の色を前記リファレンスカラーに校正する色校正手段と、
前記各ソース画像から特定のソース領域を選択する領域選択手段と、
前記ソース領域を代表する色としてソース領域カラーを決定する領域カラー決定手段と、
前記ソース領域カラーを用いて、前記カラーセットのソースカラーを更新するカラーセット更新手段と、
を備えたことを特徴とする色校正処理装置。
【請求項２】
前記領域選択手段は、前記ソース画像から、背景画像中を移動する前景オブジェクトをソースオブジェクトとして抽出するソースオブジェクト抽出手段を備え、
前記領域カラー決定手段は、前記ソースオブジェクトの平均色を、前記ソース領域カラーであるオブジェクトカラーとして決定するオブジェクトカラー決定手段を備え、
色校正処理装置には、前記ソースオブジェクトと所定のリファレンスオブジェクトが類似するか否かを判定するオブジェクト類似判定手段が備えられ、
前記カラーセット更新手段は、前記ソースオブジェクトと前記リファレンスオブジェクトが類似すると判定されたときに、前記ソースオブジェクトのオブジェクトカラーを用いて、前記カラーセットのソースカラーを更新することを特徴とする請求項１に記載の色校正処理装置。
【請求項３】
前記オブジェクト類似判定手段は、
前記ソースオブジェクトと前記リファレンスオブジェクトの特徴量を比較することにより、前記ソースオブジェクトと前記リファレンスオブジェクトの類似度を判定することを特徴とする請求項２に記載の色校正処理装置。
【請求項４】
前記カラーセット更新手段は、
前記ソースオブジェクトのオブジェクトカラーと前記カラーセットのソースカラーの重み付け平均処理で得られた重み付け平均色を、更新用のソースカラーとして用いることを特徴とする請求項２または請求項３に記載の色校正処理装置。
【請求項５】
前記カラーセット情報記憶手段には、前記ソースカラーの色情報を獲得した領域情報を含むカラーセット情報が記憶され、
前記領域選択手段は、前記複数のソース画像から背景画像を獲得する背景画像獲得手段と、前記背景画像から、前記ソースカラーの領域情報に対応する対応領域を探索する対応領域探索手段を備え、
前記領域カラー決定手段は、前記対応領域の平均色を、前記ソース領域カラーである対応領域カラーとして決定する対応領域カラー決定手段を備え、
色校正処理装置には、前記対応領域カラーに基づいて、前記ソース画像における照明環境の変化を検出する照明変化検出手段が備られ、
前記カラーセット更新手段は、照明環境に変化があったと判定されたときに、前記対応領域カラーを用いて前記カラーセットのソースカラーを更新することを特徴とする請求項１に記載の色校正処理装置。
【請求項６】
前記照明変化検出手段は、
前記対応領域カラーと前記ソースカラーの色距離を算出する色距離算出手段と、
前記対応領域カラーと前記ソースカラーの色距離が、所定のしきい色距離よりも大きいときに、照明環境に変化があったと判定する照明変化判定手段と、
を備えたことを特徴とする請求項５に記載の色校正処理装置。
【請求項７】
前記背景画像獲得手段は、
所定の時間間隔で、前記複数のソース画像から前記背景画像を獲得し、
前記照明変化検出手段は、
前記所定の時間間隔で、前記ソース画像における照明環境の変化を検出することを特徴とする請求項５または請求項６に記載の色校正処理装置。
【請求項８】
前記色校正手段は、
前記対応領域を複数の小領域に分割する領域分割手段を備え、
前記複数の小領域ごとに、前記ソースカラーと類似範囲内の色を前記リファレンスカラーに校正することを特徴とする請求項５ないし請求項７のいずれかに記載の色校正処理装置。
【請求項９】
色校正の対象となるソースカラーの色情報と、色校正後のリファレンスカラーの色情報を含むカラーセット情報を記憶し、
複数の撮像装置で撮影された各ソース画像から特定のソース領域を選択し、
前記ソース領域を代表する色としてソース領域カラーを決定し、
前記ソース領域カラーを用いて、前記カラーセットのソースカラーを更新し、
前記カラーセットを用いて、前記複数のソース画像のうち前記ソースカラーと類似範囲内の色を前記リファレンスカラーに校正することを特徴とする色校正処理方法。
【請求項１０】
前記ソース画像から、背景画像中を移動する前景オブジェクトをソースオブジェクトとして抽出し、
前記ソースオブジェクトの平均色を、前記ソース領域カラーであるオブジェクトカラーとして決定し、
前記ソースオブジェクトと所定のリファレンスオブジェクトが類似するか否かを判定し、
前記ソースオブジェクトと前記リファレンスオブジェクトが類似すると判定されたときに、前記ソースオブジェクトのオブジェクトカラーを用いて、前記カラーセットのソースカラーを更新することを特徴とする請求項９に記載の色校正処理方法。
【請求項１１】
前記ソースカラーの色情報を獲得した領域情報を含むカラーセット情報を記憶し、
前記複数のソース画像から背景画像を獲得し、
前記背景画像から、前記ソースカラーの領域情報に対応する対応領域を探索し、
前記対応領域の平均色を、前記ソース領域カラーである対応領域カラーとして決定し、
前記対応領域カラーに基づいて、前記ソース画像における照明環境の変化を検出し、
照明環境に変化があったと判定されたときに、前記対応領域カラーを用いて前記カラーセットのソースカラーを更新することを特徴とする請求項９に記載の色校正処理方法。
【発明の詳細な説明】
【技術分野】
【０００１】
本発明は、複数の撮像装置で撮影された画像に色校正処理を施す色校正処理装置に関し、照明環境の変化等への適応性を向上した色校正処理装置に関するものである。
【背景技術】
【０００２】
従来、複数のカメラで撮影した画像にコンピュータで画像処理を施して、人物等のオブジェクトを追跡監視する追跡監視システムが知られている。このような追跡監視システムでは、各カメラの特性、照明環境、設置条件などが違うと、各カメラで撮影した同一のオブジェクト（例えば、人物等）の画像の見え方、特にオブジェクトの色の見え方が、各カメラで異なることとなる。したがって、複数のカメラを用いてオブジェクトの追跡を行うためには、複数カメラ間で異なる色の見え方をする同一のオブジェクトの対応付けを図る、すなわち色の恒常性を維持する必要がある。従来の追跡監視システムでは、オブジェクトの色情報を用いて、複数カメラ間でのオブジェクトの色の校正処理を行うことにより、複数のカメラで撮影した同一のオブジェクトの対応付けが行われている。これにより、複数のカメラ間におけるオブジェクトの対応付けの精度が向上し、複数カメラ間でのオブジェクトの追跡精度の向上が図られている。
【０００３】
このような追跡監視システムでは、例えば、照明環境の変化があった場合に、照明環境の変化に応じてオブジェクトの色情報を更新する必要がある。従来、照明環境の変化を検出する方法として、画像の変化を検出するために2つの画像領域の対応するピクセル間の偏差を検出する方法が知られている（例えば、特許文献１参照）。また、照明環境の変化を検出する他の方法として、新たなシーンの始まりを検出するために映像を格納し、映像信号の代表値を用いてシーン変化の検出を実現する方法が知られている（例えば、特許文献２参照）。また、照明環境の変化を検出する他の方法として、多くの画像の特性を基に、個々の画像の特徴ベクトルを作成し、各ベクトルの違いを計算して得られた値（オブジェクトの特徴を持つ値）がそれぞれの画像に対して変化したときシーンの変化を検出する方法が知られている（例えば、特許文献３参照）。
【特許文献１】米国特許第４７７９０９５号明細書
【特許文献２】米国特許第４８２３１８４号明細書
【特許文献３】米国特許第４９１２７７０号明細書
【発明の開示】
【発明が解決しようとする課題】
【０００４】
しかしながら、従来の追跡監視システムでは、例えば、追跡対象のオブジェクトが追加されると、それに伴ってオブジェクトの色情報が追加される。この場合、新たに追加されたオブジェクトと同様のオブジェクトの色情報をすでに保持している場合であっても、オブジェクトの追加にともなってオブジェクトの色情報が追加される。このように、色校正処理に不用なオブジェクトの色情報まで追加されると、オブジェクトの色情報が過度に多くなるという問題があった。すなわち、オブジェクトの色情報が増加すると、色校正処理に用いる情報量が多くなるため、色校正処理に要する時間が長くなり、色校正処理の動作も不安定になるという問題があった。
【０００５】
また、照明環境が変化した場合には、それまで使用していたオブジェクトの色情報が使用できなくなり、その分だけ不用な色情報が増えるという問題があった。そして、照明環境が変化したときには、すぐにその変化に対応して、新しい色情報を入手する必要があるが、従来の照明環境の変化の検出方法では、計算負荷が非常に大きく、リアルタイム処理に適していないという問題があった。
【０００６】
本発明は、上記従来の問題を解決するためになされたもので、計算負荷が小さく、照明環境の変化にもリアルタイムで対応することのできる色校正処理装置を提供することを目的とする。
【課題を解決するための手段】
【０００７】
本発明の色校正処理装置は、色校正の対象となるソースカラーの色情報と、色校正後のリファレンスカラーの色情報を含むカラーセット情報を記憶するカラーセット情報記憶手段と、前記カラーセットを用いて、複数の撮像装置で撮影された各ソース画像のうち前記ソースカラーと類似範囲内の色を前記リファレンスカラーに校正する色校正手段と、前記各ソース画像から特定のソース領域を選択する領域選択手段と、前記ソース領域を代表する色としてソース領域カラーを決定する領域カラー決定手段と、前記ソース領域カラーを用いて、前記カラーセットのソースカラーを更新するカラーセット更新手段とを備えた構成を有している。
【０００８】
この構成により、ソース領域のソース領域カラーを用いて、カラーセットのソースカラーが置き換えられて更新される。したがって、追跡対象のオブジェクトが追加された場合や、照明環境に変化があった場合であっても、色校正処理に不用な情報を保持しなくてすむ。これにより、色校正処理のために保持する情報量が少なくてすみ、計算負荷が軽減される。したがって、色校正処理に要する時間が短くなり、色校正処理の動作が安定する。また、計算負荷が小さいので、照明環境の変化にもリアルタイムで対応できる。
【０００９】
また、本発明の色校正処理装置では、前記領域選択手段は、前記複数のソース画像から、背景画像中を移動する前景オブジェクト（例えば、人物など）をソースオブジェクトとして抽出するソースオブジェクト抽出手段を備え、前記領域カラー決定手段は、前記ソースオブジェクトの平均色を、前記ソース領域カラーであるオブジェクトカラーとして決定するオブジェクトカラー決定手段を備え、色校正処理装置には、前記ソースオブジェクトと所定のリファレンスオブジェクトが類似するか否かを判定するオブジェクト類似判定手段が備えられ、前記カラーセット更新手段は、前記ソースオブジェクトと前記リファレンスオブジェクトが類似すると判定されたときに、前記ソースオブジェクトのオブジェクトカラーを用いて、前記カラーセットのソースカラーを更新する構成を有している。
【００１０】
この構成により、追跡対象のオブジェクトが追加された場合であっても、ソースオブジェクトがリファレンスオブジェクトと類似するときには、ソースオブジェクトのオブジェクトカラー（ソースオブジェクトの平均色）を用いて、カラーセットのソースカラーが更新され、色校正処理に不用なカラーセットの情報を保持しなくてすむ。これにより、色校正処理のために保持する情報量が少なくてすみ、計算負荷が軽減される。
【００１１】
また、本発明の色校正処理装置では、前記オブジェクト類似判定手段は、前記ソースオブジェクトと前記リファレンスオブジェクトの特徴量を比較することにより、前記ソースオブジェクトと前記リファレンスオブジェクトの類似度を判定する構成を有している。
【００１２】
この構成により、ソースオブジェクトとリファレンスオブジェクトの特徴量（例えば、移動速度、大きさ、縦横比など）を用いてオブジェクトの類似度を判定することができ、ソースオブジェクトとリファレンスオブジェクトの対応付けの精度が向上し、ソースオブジェクトの追跡精度が向上する。
【００１３】
また、本発明の色校正処理装置では、前記カラーセット更新手段は、前記ソースオブジェクトのオブジェクトカラーと前記カラーセットのソースカラーの重み付け平均処理で得られた重み付け平均色を、更新用のソースカラーとして用いる構成を有している。
【００１４】
この構成により、ソースオブジェクトのオブジェクトカラーとカラーセットのソースカラーとの色の違いが大きい場合あっても、重み付けの度合いを調整することにより、更新用のソースカラーの色を調整することができる。
【００１５】
また、本発明の色校正処理装置では、前記カラーセット情報記憶手段には、前記ソースカラーの色情報を獲得した領域情報を含むカラーセット情報が記憶され、前記領域選択手段は、前記複数のソース画像から背景画像を獲得する背景画像獲得手段と、前記背景画像から、前記ソースカラーの領域情報に対応する対応領域（例えば、街路樹や道路など）を探索する対応領域探索手段を備え、前記領域カラー決定手段は、前記対応領域の平均色を、前記ソース領域カラーである対応領域カラーとして決定する対応領域カラー決定手段を備え、色校正処理装置には、前記対応領域カラーに基づいて、前記ソース画像における照明環境の変化を検出する照明変化検出手段が備えられ、前記カラーセット更新手段は、照明環境に変化があったと判定されたときに、前記対応領域カラーを用いて前記カラーセットのソースカラーを更新する構成を有している。
【００１６】
この構成により、照明環境に変化があった場合であっても、照明環境に変化があったと判定されたときには、対応領域カラーを用いてカラーセットのソースカラーが更新され、色校正処理に不用なカラーセットの情報を保持しなくてすむ。これにより、色校正処理のために保持する情報量が少なくてすみ、計算負荷が軽減される。
【００１７】
また、本発明の色校正処理装置では、前記照明変化検出手段は、前記対応領域カラーと前記ソースカラーの色距離を算出する色距離算出手段と、前記対応領域カラーと前記ソースカラーの色距離が、所定のしきい色距離よりも大きいときに、照明環境に変化があったと判定する照明変化判定手段とを備えた構成を有している。
【００１８】
この構成により、対応領域カラーとソースカラーの色距離（色空間における二つの色座標の間の距離）を用いて照明環境の変化の有無を判定することができ、従来の照明環境の変化の検出方法に比べて計算負荷が軽減され、照明環境の変化等への適応性が向上する。
【００１９】
また、本発明の色校正処理装置では、前記背景画像獲得手段は、所定の時間間隔で、前記複数のソース画像から前記背景画像を獲得し、前記照明変化検出手段は、前記所定の時間間隔で、前記ソース画像における照明環境の変化を検出する構成を有している。
【００２０】
この構成により、所定の時間間隔で、ソース画像から背景画像を獲得し、照明環境の変化を検出する。したがって、照明環境が変化する頻度に応じて所定の時間間隔を調整することにより、照明環境の変化の検出計算を行う頻度を調整することができ、常に照明環境の変化を検出する場合に比べて計算負荷が軽減される。
【００２１】
また、本発明の色校正処理装置では、前記色校正手段は、前記対応領域を複数の小領域に分割する領域分割手段を備え、前記複数の小領域ごとに、前記対応領域カラーを用いて前記カラーセットのソースカラーを更新する構成を有している。
【００２２】
この構成により、対応領域（例えば、街路樹）がそれぞれ異なる色を有する複数の小領域（例えば、葉の部分と幹の部分）から構成されているときには、複数の小領域ごとの対応領域カラーを用いてソースカラーを更新でき、対応領域の対応付けの精度が向上する。
【００２３】
本発明の色校正処理方法では、色校正の対象となるソースカラーの色情報と、色校正後のリファレンスカラーの色情報を含むカラーセット情報を記憶し、複数の撮像装置で撮影された各ソース画像から特定のソース領域を選択し、前記ソース領域を代表する色としてソース領域カラーを決定し、前記ソース領域カラーを用いて、前記カラーセットのソースカラーを更新し、前記カラーセットを用いて、前記複数のソース画像のうち前記ソースカラーと類似範囲内の色を前記リファレンスカラーに校正する構成を有している。
【００２４】
また、本発明の色校正処理方法では、前記ソース画像から、背景画像中を移動する前景オブジェクトをソースオブジェクトとして抽出し、前記ソースオブジェクトの平均色を、前記ソース領域カラーであるオブジェクトカラーとして決定し、前記ソースオブジェクトと所定のリファレンスオブジェクトが類似するか否かを判定し、前記ソースオブジェクトと前記リファレンスオブジェクトが類似すると判定されたときに、前記ソースオブジェクトのオブジェクトカラーを用いて、前記カラーセットのソースカラーを更新する構成を有している。
【００２５】
また、本発明の色校正処理方法では、前記ソースカラーの色情報を獲得した領域情報を含むカラーセット情報を記憶し、前記複数のソース画像から背景画像を獲得し、前記背景画像から、前記ソースカラーの領域情報に対応する対応領域を探索し、前記対応領域の平均色を、前記ソース領域カラーである対応領域カラーとして決定し、前記対応領域カラーに基づいて、前記ソース画像における照明環境の変化を検出し、照明環境に変化があったと判定されたときに、前記対応領域カラーを用いて前記カラーセットのソースカラーを更新する構成を有している。
【発明の効果】
【００２６】
本発明は、ソース領域カラーを用いてカラーセットのソースカラーを更新するカラーセット更新手段を設けることにより、色校正処理に不用なカラーセットの情報を保持しなくてすみ、計算負荷が軽減されて、照明環境の変化にリアルタイムで対応できるという効果を有する色校正処理装置を提供することができるものである。
【発明を実施するための最良の形態】
【００２７】
以下、本発明の実施の形態の色校正処理装置について、図１〜図９を用いて説明する。本実施の形態では、図２に示すように、二つのカメラで撮影された二つのカメラ画像にコンピュータで画像処理を施して、その二つのカメラ画像間をまたがって移動するオブジェクト（例えば、人物など）を追跡監視する追跡監視システムに用いられる色校正処理装置の場合を例示する。
【００２８】
以下の説明では、二つのカメラをカメラＡおよびカメラＢという。そして、カメラＡで撮像された画像をソース画像Ａといい、カメラＢで撮影された画像をソース画像Ｂという。本実施の形態では、カメラＡとカメラＢは互いに離れた位置に配置されている（図２参照）。そして、監視対象である人物は、カメラＡのソース画像ＡとカメラＢのソース画像Ｂをまたがって移動する。
【００２９】
本発明の実施の形態の色校正処理装置のブロック図を図１に示す。図１に示すように、色校正処理装置１は、二つのカメラ２（カメラＡおよびカメラＢ）が設置された監視場所に設置される二つのクライアントユニット３（クライアントユニットＡおよびクライアントユニットＢ）と、中央の監視場所に設置される一つのサーバユニット４を備えている。
【００３０】
図１に示すように、クライアントユニット３は、ソース画像獲得部５と、領域選択部６と、領域カラー決定部７と、色校正部８と、照明変化検出部９と、カラーセット更新部１０と、カラーセット情報記憶部１１を備えている。また、サーバユニット４は、オブジェクト類似判定部１２と、リファレンスオブジェクト記憶部１３を備えている。
【００３１】
ソース画像獲得部５は、カメラ２（カメラＡまたはカメラＢ）からソース画像（ソース画像Ａまたはソース画像Ｂ）を獲得する。本実施の形態では、ソース画像獲得部５において、予め設定された所定のフレームレート（例えば、１秒間隔または５秒間隔など）でソース画像の獲得が行われる。
【００３２】
図３は、領域選択部６の構成を示すブロック図である。図３に示すように、領域選択部６は、ソース画像から、背景画像中を移動する前景オブジェクトをソースオブジェクトとして抽出するソースオブジェクト抽出部１４を備えている。また、領域選択部６は、ソース画像から、ソースオブジェクトが切り出された後の背景画像を獲得する背景画像獲得部１５と、背景画像から、後述するカラーセットのソースカラーの領域情報に対応する対応領域を探索する対応領域探索部１６を備えている。本実施の形態では、背景画像の獲得は、所定の時間間隔（例えば、１分間隔または５分間隔）で行われる。このように、領域選択部６は、ソース画像から特定のソース領域（ソースオブジェクト、背景画像の対応領域）を選択できるように構成されている。
【００３３】
図４は、領域カラー決定部７の構成を示すブロック図である。図４に示すように、領域カラー決定部７は、ソースオブジェクトの平均色を算出し、オブジェクトカラーとして決定するオブジェクトカラー決定部１７を備えている。例えば、ソースオブジェクトが様々な色を有している場合には、ソースオブジェクトの平均色は、輝度に対応するグレースケールの色情報となる。あるいは、ソースオブジェクトの平均色は、ＲＧＢのカラー情報のそれぞれの平均色を持つ色情報を持ってもよい。また、領域カラー決定部７は、対応領域の平均色を算出し、対応領域カラーとして決定する対応領域カラー決定部１８を備えている。例えば、対応領域がほぼ一様な色を有している場合には、対応領域の平均色は、ほぼ一様な色を代表する中心的な色の色情報となる。すなわち、対応領域の平均色は、対応領域の代表色であるともいえる。この対応領域の代表色としては、対応領域の平均色のほかに、例えば、対応領域に含まれる色の最繁値（最も頻繁に現れる色）が用いられてもよい。このように、領域カラー決定部７は、ソース領域（ソースオブジェクト、対応領域）を代表する色として、ソース領域カラー（ソースオブジェクトカラー、対応領域カラー）を決定できるように構成されている。
【００３４】
図５は、色校正部８の構成を示すブロック図である。図５に示すように、色校正部８は、ソースオブジェクトのオブジェクト情報（オブジェクトの色情報や位置情報等）が格納されるソースオブジェクト格納部１９を備えている。また、色校正部８は、対応領域の対応領域情報（対応領域の色情報や位置情報等）が格納される対応領域格納部２０と、対応領域を複数の小領域に分割する領域分割部２１を備えている。また、色校正部８は、ソース画像の特定のソース領域（ソースオブジェクト、対応領域または小領域）のうち、ソースカラーと類似範囲内の色を有する領域を探索する類似領域探索部２２と、探索された領域の色を、後述するカラーセットのリファレンスカラーに置換する領域色置換部２３を備えている。このように、色校正部８は、カラーセット情報記憶部１１に記憶されたカラーセット情報を用いて、ソース画像（ソース画像Ａまたはソース画像Ｂ）のうち、ソースカラーと類似範囲内の色を、リファレンスカラーに校正できるように構成されている。
【００３５】
カラーセット情報記憶部１１には、例えば、図６に示すようなカラーセット情報が記憶されている。カラーセット情報は、色校正の対象となるソースカラーの色情報と、ソースカラーの色情報を獲得したもとの領域を示す領域情報と、色校正に用いるリファレンスカラーの色情報を有している。
【００３６】
本実施の形態では、例えば、図２に示すソース画像（ソース画像Ａおよびソース画像Ｂ）のソースオブジェクト（例えば人物）から獲得したカラーセット情報として、グレースケールのソースカラーの色情報（グレー３、グレー２）が記憶されている。リファレンスカラーの色情報（グレー１）は、例えば、リファレンスオブジェクト記憶部１３に記憶されている人物のリファレンスオブジェクトから獲得される。なお、この場合、ソースカラーの領域情報は、ソースオブジェクト（例えば人物）がソース画面中を移動し、一定の領域に止まっているとは限らないため、カラーセット情報として記憶されない。
【００３７】
また、本実施の形態では、例えば、図２に示すソース画像（ソース画像Ａおよびソース画像Ｂ）の背景画像の対応領域の小領域（例えば街路樹の葉の部分）から獲得したカラーセット情報として、緑色のソースカラーの色情報（緑８、緑６）と領域情報（２ｂ、４ｅ）が記憶されている。リファレンスカラーの色情報（緑７）は、例えば、リファレンスオブジェクト記憶部１３に記憶されている街路樹のリファレンスオブジェクトの葉の部分から獲得される。また、背景画像の対応領域の小領域（例えば街路樹の幹の部分）から獲得したカラーセット情報として、茶色のソースカラーの色情報（茶２、茶３）と領域情報（２ｃ、４ｆ）が記憶されている。リファレンスカラーの色情報（茶７）は、例えば、リファレンスオブジェクト記憶部１３に記憶されている街路樹のリファレンスオブジェクトの幹の部分から獲得される。
【００３８】
図７は、オブジェクト類似判定部１２の構成を示すブロック図である。図７に示すように、オブジェクト類似判定部１２は、特徴量獲得部２４と、特徴量類似判定部２５を備えている。特徴量獲得部２４は、色校正部８のソースオブジェクト格納部１９からソースオブジェクトの特徴量を獲得するとともに、リファレンスオブジェクト記憶部１３からリファレンスオブジェクトの特徴量を獲得する。例えば、図２には、リファレンスオブジェクトの例が示される。本実施の形態では、リファレンスオブジェクトとして、例えば、街路樹や人物、道路などのオブジェクトが用いられる。そして、オブジェクトの特徴量として、例えば、オブジェクトの移動速度や大きさ、縦横比などの特徴量が使用される。特徴量類似判定部２５は、ソースオブジェクトの特徴量とリファレンスオブジェクトの特徴量を比較することによって、ソースオブジェクトとリファレンスオブジェクトの類似度を判定する。このように、オブジェクト類似判定部１２は、ソースオブジェクトとリファレンスオブジェクトが類似するか否かを判定できるように構成されている。
【００３９】
図８は、照明変化検出部９の構成を示すブロック図である。図８に示すように、照明変化検出部９は、カラーセット情報記憶部１１からカラーセット情報を獲得するカラーセット情報獲得部２６と、カラーセット情報から対応領域（または小領域）に対応するソースカラーを獲得するソースカラー獲得部２７を備えている（図６参照）。また、照明変化検出部９は、対応領域の色情報（対応領域カラー）を獲得する対応領域カラー獲得部３４と、上記のソースカラーと対応領域カラーの色距離Ｄを最小二乗法等の比較手法を用いて計算する色距離計算部２９と、色距離Ｄが所定のしきい色距離Ｄｓよりも大きいときに照明変化があったと判定する照明変化判定部３０を備えている。このように、照明変化検出部９は、ソース画像における照明環境の変化を検出できるように構成されている。
【００４０】
本実施の形態では、ソースカラーと対応領域カラーの色距離Ｄは、例えば、下記の式１によって計算される。ここでは、ソースカラーのＨＳＶ色空間における座標を（ｈ１、ｓ１、ｖ１）とし、対応領域カラーのＨＳＶ色空間における座標を（ｈ２、ｓ２、ｖ２）とする。
Ｄ＝｛（ｈ１−ｈ２）2＋（ｓ１−ｓ２）2＋（ｖ１−ｖ２）2｝0.5    （式１）
【００４１】
図９は、カラーセット更新部１０の構成を示すブロック図である。図９に示すように、カラーセット更新部１０は、カラーセット情報獲得部３１と、ソースカラー獲得部３２と、ソース領域情報獲得部３３と、領域カラー獲得部３４と、重み付け計算部３５と、ソースカラー置換部３６を備えている。
【００４２】
カラーセット更新部１０では、ソースオブジェクトとリファレンスオブジェクトが類似すると判定されたときに、ソース領域情報獲得部３３によって、ソースオブジェクトのオブジェクト情報が獲得され、領域カラー獲得部３４によって、ソースオブジェクトのオブジェクトカラーが獲得される。また、カラーセット情報獲得部３１で、カラーセット情報が獲得され、ソースカラー獲得部３２によって、ソースオブジェクトに対応するソースカラーが獲得される。そして、重み付け計算部３５において、オブジェクトカラーとソースカラーの重み付け平均処理が行われ、ソースカラー置換部３６において、重み付け平均処理前の古いソースカラーが、重み付け平均処理後の新しいソースカラーに置換される。このようにカラーセット更新部１０は、ソースオブジェクトのオブジェクトカラーを用いて、カラーセットのソースカラーを自動的に更新できるように構成されている。
【００４３】
本実施の形態では、重み付け計算部３５において、オブジェクトカラーとソースカラーの重み付け平均処理が下記の式２を用いて行われる。ここで、Ｃｓは、重み付け平均処理を行う前の（更新前の）カラーセットのソースカラーの色情報であり、Ｃｏは、オブジェクトカラーの色情報である。また、Ａは、重み付け係数（０≦Ａ≦１）である。そして、Ｃｓ’が、重み付け平均処理によって得られた（更新後の）カラーセットのソースカラーの色情報である。
Ｃｓ’＝（１−Ａ）×Ｃｓ＋Ａ×Ｃｏ    （式２）
【００４４】
また、カラーセット更新部１０では、ソース画像において照明環境の変化があったと判定されたときに、ソース領域情報獲得部３３によって、対応領域の対応領域情報が獲得され、領域カラー獲得部３４によって、対応領域の対応領域カラーが獲得される。また、カラーセット情報獲得部３１で、カラーセット情報が獲得され、ソースカラー獲得部３２によって、対応領域に対応するソースカラーが獲得される。そして、上記と同様にして、重み付け計算部３５において、オブジェクトカラーとソースカラーの重み付け平均処理が行われ、ソースカラー置換部３６において、重み付け平均処理前の古いソースカラーが、重み付け平均処理後の新しいソースカラーに置換される。この場合、上記の式２におけるＣｏとして、オブジェクトカラーの色情報の代わりに、対応領域カラー（対応領域の平均色）が用いられる。このようにカラーセット更新部１０は、対応領域の対応領域カラーを用いて、カラーセットのソースカラーを自動的に更新できるように構成されている。
【００４５】
以上のように構成された色校正処理装置１について、図１０〜図１５を用いてその動作を説明する。
【００４６】
まず、本発明の実施の形態の色校正処理装置１において、ソースオブジェクトのオブジェクトカラーを用いて、色校正処理およびソースカラーの更新が行われるときの動作について、図１０〜図１２を用いて説明する。
【００４７】
図１０は、本実施の形態の色校正処理装置１において、ソースオブジェクトのオブジェクトカラーを用いて、色校正処理およびソースカラーの更新処理を行うときの全体の流れを示すフロー図である。本実施の形態では、クライアントユニット３のソース画像獲得部５は、常時、所定のフレームレートで、カメラ２からソース画像を獲得している。
【００４８】
図１０に示すように、ソースオブジェクトのオブジェクトカラーを用いて、色校正処理およびソースカラーの更新処理を行うときには、まず、領域選択部６のソースオブジェクト抽出部１４において、ソース画像からソースオブジェクトの抽出を行う（Ｓ１１）。つぎに、領域カラー決定部７のオブジェクトカラー決定部１７において、ソースオブジェクトの代表色（例えば、ソースオブジェクトの平均色）をオブジェクトカラーとして決定する（Ｓ１２）。そして、色校正部８において、ソースオブジェクトのオブジェクトカラーを用いて、色校正処理が行われる（Ｓ１３）。
【００４９】
図１１は、色校正部８において、ソースオブジェクトのオブジェクトカラーを用いて、色校正処理（Ｓ１３）を行うときの流れを示すフロー図である。図１１に示すように、オブジェクトカラーを用いて色校正を行うときには、まず、ソースオブジェクト格納部１９に、ソースオブジェクトのオブジェクト情報が格納される（Ｓ１３１）。そして、類似領域探索部２２は、オブジェクト情報からソースオブジェクトのオブジェクトカラーの色情報を獲得するとともに（Ｓ１３２）、カラーセット情報記憶部１１からカラーセットのソースカラーの色情報を獲得する（Ｓ１３３）。
【００５０】
そして、類似領域探索部２２では、ソースカラーと類似範囲内の色を有するソースオブジェクトの探索が行われる（Ｓ１３４）。ソースカラーと類似範囲内の色を有するソースオブジェクトが見つかった場合には、領域色置換部２３において、ソースオブジェクトの色がそのソースカラーに対応するリファレンスカラーに置換され（Ｓ１３５）、色校正処理が終了する。一方、ソースカラーと類似範囲内の色を有するソースオブジェクトが見つからなかった場合には、色の置換を行わずに処理が終了する。
【００５１】
上記のような色校正処理（Ｓ１３）が行われた後、サーバユニット４のオブジェクト類似判定部１２の特徴量獲得部２４は、ソースオブジェクトとリファレンスオブジェクトの特徴量を獲得する（Ｓ１４）。そして、オブジェクト類似判定部１２の特徴類似判定部において、ソースオブジェクトとリファレンスオブジェクトの特徴量に基づいて、ソースオブジェクトとリファレンスオブジェクトの類似判定が行われる（Ｓ１５）。
【００５２】
ソースオブジェクトとリファレンスオブジェクトが類似すると判定された場合には、クライアントユニット３のカラーセット更新部１０において、ソースオブジェクトのオブジェクトカラーを用いて、ソースカラーの更新処理（Ｓ１６）が行われる。一方、ソースオブジェクトとリファレンスオブジェクトが類似しないと判定された場合には、ソースカラーの更新を行うことなく処理を終了する。
【００５３】
図１２は、カラーセット更新部１０において、ソースオブジェクトのオブジェクトカラーを用いて、ソースカラーの更新処理（Ｓ１６）を行うときの流れを示すフロー図である。図１２に示すように、オブジェクトカラーを用いてソースカラーの更新を行うときには、まず、カラーセット更新部１０のソース領域情報獲得部３３によって、ソースオブジェクトのオブジェクト情報が獲得される（Ｓ１６１）。そして、領域カラー獲得部３４によって、ソースオブジェクトのオブジェクト情報からオブジェクトカラーが獲得される（Ｓ１６２）。また、カラーセット情報獲得部３１では、カラーセット情報記憶部１１からカラーセット情報が獲得される（Ｓ１６３）。そして、ソースカラー獲得部３２において、カラーセット情報からソースオブジェクトに対応するソースカラーが検索され獲得される（Ｓ１６４）。
【００５４】
その後、カラーセット更新部１０の重み付け計算部３５において、オブジェクトカラーとソースカラーの重み付け平均処理が行われ（Ｓ１６５）、オブジェクトカラーとソースカラーから新しいソースカラーが求められる。そして、ソースカラー置換部３６において、カラーセットの古いソースカラーが、新しいソースカラーに置換される（Ｓ１６６）。このようにして、カラーセットのソースカラーが自動的に更新される。
【００５５】
つぎに、本発明の実施の形態の色校正処理装置１において、対応領域の対応領域カラーを用いて、色校正処理およびソースカラーの更新が行われるときの動作について、図１３〜図１５を用いて説明する。
【００５６】
図１３は、本実施の形態の色校正処理装置１において、背景画像の対応領域の対応領域カラーを用いて、色校正処理およびソースカラーの更新処理を行うときの全体の流れを示すフロー図である。本実施の形態でも、クライアントユニット３のソース画像獲得部５は、常時、所定のフレームレートで、カメラ２からソース画像を獲得している。
【００５７】
図１３に示すように、対応領域の対応領域カラーを用いて、色校正処理およびソースカラーの更新処理を行うときには、まず、領域選択部６の背景画像獲得部１５において、ソース画像から背景画像の獲得が行われる（Ｓ２１）。この背景画像の獲得は、所定の時間間隔（例えば、１分間隔または５分間隔）で行われる。つぎに、領域選択部６の対応領域探索部１６において、背景画像から、カラーセットのソースカラーの領域情報に対応する対応領域の探索が行われる（Ｓ２２）。そして、領域カラー決定部７の対応領域カラー決定部１８において、対応領域の代表色（例えば、対応領域の平均色）が計算され、対応領域カラーとして決定される（Ｓ２３）。
【００５８】
つづいて、照明変化検出部９において、カラーセットのソースカラーと対応領域カラーがそれぞれ獲得されて、カラーセットのソースカラーと対応領域カラーとの色距離Ｄが色距離計算部２９で計算される（Ｓ２４）。そして、照明変化判定部３０において、色距離Ｄがしきい色距離Ｄｓよりも大きいか否かの判定が行われる（Ｓ２５）。その判定の結果、色距離Ｄがしきい色距離Ｄｓよりも大きい場合には、照明環境に変化があったと判定され、ソースカラーの更新処理（Ｓ２６）が行われる。一方、色距離Ｄがしきい色距離Ｄｓ以下であった場合には、照明環境に変化がなかったと判定され、ソースカラーの更新処理が行われない。
【００５９】
図１４は、カラーセット更新部１０において、対応領域の対応領域カラーを用いて、ソースカラーの更新処理（Ｓ２６）を行うときの流れを示すフロー図である。図１４に示すように、対応領域カラーを用いてソースカラーの更新を行うときには、まず、カラーセット更新部１０のソース領域情報獲得部３３によって、対応領域の対応領域情報が獲得される（Ｓ２６１）。そして、領域カラー獲得部３４によって、対応領域の対応領域情報から対応領域カラーが獲得される（Ｓ２６２）。また、カラーセット情報獲得部３１では、カラーセット情報記憶部１１からカラーセット情報が獲得される（Ｓ２６３）。そして、ソースカラー獲得部３２において、カラーセット情報から対応領域に対応するソースカラーが検索され獲得される（Ｓ２６４）。
【００６０】
その後、カラーセット更新部１０の重み付け計算部３５において、対応領域カラーとソースカラーの重み付け平均処理が行われ（Ｓ２６５）、対応領域カラーとソースカラーから新しいソースカラーが求められる。そして、ソースカラー置換部３６において、カラーセットの古いソースカラーが、新しいソースカラーに置換される（Ｓ２６６）。このようにして、カラーセットのソースカラーが自動的に更新される。
【００６１】
上記のように一のカラーセットについて、ソースカラーの更新処理（Ｓ２６）が完了した後、すべてのカラーセットについて、ソースカラーの更新が完了したか否かの判断が行われる（Ｓ２７）。その判断の結果、すべてのカラーセットについて、カラーセットの更新が完了していないと判断された場合には、再び、背景画像から、カラーセットのソースカラーの領域情報に対応する対応領域の探索し（Ｓ２２）、平均色を計算する（Ｓ２３）。そして、照明環境の変化の有無についての判定を行い（Ｓ２４〜Ｓ２５）、残りのカラーセットについてソースカラー更新処理（Ｓ２６）を繰り返し行う。
【００６２】
そして、上記のようにして更新されたカラーセットを用いて、色校正部８において色校正処理が行われる（Ｓ２８）。
【００６３】
図１５は、色校正部８において、対応領域の対応領域カラーを用いて、色校正処理（Ｓ２８）を行うときの流れを示すフロー図である。図１５に示すように、対応領域カラーを用いて色校正を行うときには、まず、対応領域格納部２０に、対応領域の対応領域情報が格納される（Ｓ２８１）。
【００６４】
つぎに、色校正部８の領域分割部２１において、対応領域を小領域に分割するか否かの判断が行われる（Ｓ２８２）。本実施の形態では、例えば、対応領域が街路樹のような複数の色の領域（例えば、葉の緑色の領域と幹の茶色の領域の二つの領域）から構成されている場合には、対応領域を小領域に分割する必要があると判断され、領域分割の処理が行われる（Ｓ２８３）。一方、対応領域が道路のように単一の色の領域（例えば、舗装面のグレーの領域）から構成されている場合には、対応領域を小領域に分割する必要はないと判断される。
【００６５】
その後、色校正部８の領域探索部において、格納された対応領域情報から、対応領域（または小領域）の対応領域カラーの色情報が獲得されるとともに（Ｓ２８４）、カラーセット情報記憶部１１から、カラーセットのソースカラーの色情報が獲得される（Ｓ２８５）。そして、類似領域探索部２２では、ソースカラーと類似範囲内の色を有する対応領域（または小領域）の探索が行われる（Ｓ２８６）。
【００６６】
その探索の結果、ソースカラーと類似範囲内の色を有する対応領域（または小領域）が見つかった場合には、領域色置換部２３において、対応領域（または小領域）の色がそのソースカラーに対応するリファレンスカラーに置換され（Ｓ２８７）、色校正処理が終了する。一方、ソースカラーと類似範囲内の色を有する対応領域（または小領域）が見つからなかった場合には、色の置換を行わずに処理が終了する。
【００６７】
このような発明の実施の形態の色校正処理装置１によれば、ソース領域カラー（オブジェクトカラー、対応領域カラー）を用いてカラーセットのソースカラーを更新するカラーセット更新部１０を設けることにより、色校正処理に不用なカラーセットの情報を保持しなくてすみ、計算負荷が軽減されて、照明環境の変化にリアルタイムで対応することができる。
【００６８】
すなわち、本実施の形態では、カラーセット更新部１０において、ソース領域（ソースオブジェクト、対応領域）のソース領域カラー（オブジェクトカラー、対応領域カラー）を用いて、カラーセットのソースカラーが置き換えられて更新される。したがって、追跡対象のオブジェクトが追加された場合や、照明環境に変化があった場合であっても、色校正処理に不用なカラーセットの情報を保持しなくてすむ。これにより、色校正処理のために保持する情報量が少なくてすみ、計算負荷が軽減される。したがって、色校正処理に要する時間が短くなり、色校正処理の動作が安定する。また、計算負荷が小さいので、照明環境の変化にもリアルタイムで対応できる。
【００６９】
また、本実施の形態では、追跡対象のオブジェクトが追加された場合であっても、オブジェクト類似判定部１２において、ソースオブジェクトがリファレンスオブジェクトと類似するか否かの判定が行われる。そして、ソースオブジェクトとリファレンスオブジェクトが類似すると判定されたときには、カラーセット更新部１０において、ソースオブジェクトのオブジェクトカラー（ソースオブジェクトの平均色）を用いて、カラーセットのソースカラーが更新される。これにより、色校正処理に不用なカラーセットの情報を保持しなくてすむ。したがって、色校正処理のために保持する情報量が少なくてすみ、計算負荷が軽減される。
【００７０】
また、本実施の形態では、オブジェクト類似判定部１２において、ソースオブジェクトとリファレンスオブジェクトの特徴量（例えば、移動速度、大きさ、縦横比など）を用いてオブジェクトの類似度を判定することができ、ソースオブジェクトとリファレンスオブジェクトの対応付けの精度が向上し、ソースオブジェクトの追跡精度が向上する。
【００７１】
また、本実施の形態では、カラーセット更新部１０において、オブジェクトカラーとソースカラーの重み付け平均処理で得られた重み付け平均色が、更新用のソースカラーとして用いられる。これにより、ソースオブジェクトのオブジェクトカラーとカラーセットのソースカラーとの色の違いが大きい場合あっても、重み付けの度合いを調整することにより、更新用のソースカラーの色を調整することができる。
【００７２】
また、本実施の形態では、照明環境に変化があった場合には、照明変化検出部９において、照明環境に変化があったと判定される。そして、照明環境に変化があったと判定されたときには、カラーセット更新部１０において、対応領域カラーを用いてカラーセットのソースカラーが更新される。これにより、色校正処理に不用なカラーセットの情報を保持しなくてすむ。したがって、色校正処理のために保持する情報量が少なくてすみ、計算負荷が軽減される。
【００７３】
また、本実施の形態では、照明変化検出部９において、対応領域カラーとソースカラーの色距離（色空間における二つの色座標の間の距離）を用いて照明環境の変化の有無の判定が行われる。これにより、従来の照明環境の変化の検出方法に比べて計算負荷が軽減され、照明環境の変化等への適応性が向上する。
【００７４】
また、本実施の形態では、領域選択部６の背景画像獲得部１５において、所定の時間間隔（例えば、１分間隔または５分間隔）で、ソース画像から背景画像を獲得する。そして、照明変化検出において、その背景画像から照明環境の変化を検出する。したがって、照明環境が変化する頻度に応じて所定の時間間隔を調整することにより、照明環境の変化の検出計算を行う頻度を調整することができ、常に照明環境の変化を検出する場合に比べて計算負荷が軽減される。
【００７５】
また、本実施の形態では、色校正部８において、対応領域（例えば、街路樹）がそれぞれ異なる色を有する複数の小領域（例えば、葉の部分と幹の部分）から構成されているときには、複数の小領域ごとの対応領域カラーを用いてソースカラーが更新される。これにより、対応領域の対応付けの精度が向上する。
【００７６】
以上、本発明の実施の形態を例示により説明したが、本発明の範囲はこれらに限定されるものではなく、請求項に記載された範囲内において目的に応じて変更・変形することが可能である。
【００７７】
例えば、以上の説明では、撮像装置として、所定のフレームレートで静止画像の撮影を行うカメラ２の場合を例示して説明したが、本発明の範囲はこれに限定されるものではなく、常時、動画画像の撮影を行うカメラ（ビデオカメラ）であってもよい。
【００７８】
また、以上の説明では、色校正処理装置１が、二つのクライアントユニット３と一つのサーバユニット４で構成された例について説明したが、本発明の範囲はこれに限定されるものではない。例えば、各クライアントユニット３がサーバユニット４の機能（オブジェクト類似判定手段、リファレンスオブジェクト記憶手段）を備えた構成であってもよい。
【００７９】
また、以上の説明では、撮像装置であるカメラ２が二つの場合を例示して説明したが、本発明の範囲はこれに限定されるものではなく、撮像装置が三つ以上の場合であっても同様に実施可能である。
【００８０】
また、以上の説明では、カメラＡおよびカメラＢの撮影領域が部分的に重複している場合を例示して説明したが（図２参照）、本発明の範囲はこれに限定されるものではなく、カメラＡおよびカメラＢの撮影領域が重複していない場合であっても同様に実施可能である。
【００８１】
また、以上の説明では、色校正処理装置１によって自動的にカラーセットの選択および更新が行われる例について説明したが、本発明の範囲はこれに限定されるものではなく、ユーザが手動でカラーセットの選択を行い、そのカラーセットの領域情報を用いてカラーセットの更新が行われても良い。
【産業上の利用可能性】
【００８２】
以上のように、本発明にかかる色校正処理装置は、色校正処理に不用なカラーセットの情報を保持しなくてすみ、計算負荷が軽減されて、照明環境の変化にリアルタイムで対応できるという効果を有し、追跡監視システム等に用いられる色校正処理装置等として有用である。
【図面の簡単な説明】
【００８３】
【図１】本発明の実施の形態における色校正処理装置のブロック図
【図２】本発明の実施の形態におけるカメラ画像を説明するための概略図
【図３】本発明の実施の形態における領域選択部のブロック図
【図４】本発明の実施の形態における領域カラー決定部のブロック図
【図５】本発明の実施の形態における色校正部のブロック図
【図６】本発明の実施の形態におけるカラーセット情報を説明する表
【図７】本発明の実施の形態におけるオブジェクト類似判定部のブロック図
【図８】本発明の実施の形態における照明変化検出部のブロック図
【図９】本発明の実施の形態におけるカラーセット更新部のブロック図
【図１０】本発明の実施の形態において、ソースオブジェクトのオブジェクトカラーを用いて、色校正処理およびソースカラーの更新処理を行うときの全体の流れを示すフロー図
【図１１】本発明の実施の形態において、ソースオブジェクトのオブジェクトカラーを用いて、色校正処理を行うときの流れを示すフロー図
【図１２】本発明の実施の形態において、ソースオブジェクトのオブジェクトカラーを用いて、ソースカラーの更新処理を行うときの流れを示すフロー図
【図１３】本発明の実施の形態において、対応領域の対応領域カラーを用いて、色校正処理およびソースカラーの更新処理を行うときの全体の流れを示すフロー図
【図１４】本発明の実施の形態において、対応領域の対応領域カラーを用いて、ソースカラーの更新処理を行うときの流れを示すフロー図
【図１５】本発明の実施の形態において、対応領域の対応領域カラーを用いて、色校正処理を行うときの流れを示すフロー図
【符号の説明】
【００８４】
１  色校正処理装置
２  カメラ
５  ソース画像獲得部
６  領域選択部（領域選択手段）
７  領域カラー決定部（領域カラー決定手段）
８  色校正部（色校正手段）
９  照明変化検出部（照明変化検出手段）
１０  カラーセット更新部（カラーセット更新手段）
１１  カラーセット情報記憶部（カラーセット情報記憶手段）
１２  オブジェクト類似判定部（オブジェクト類似判定手段）
１３  リファレンスオブジェクト記憶部
１４  ソースオブジェクト抽出部（ソースオブジェクト抽出手段）
１５  背景画像獲得部（背景画像獲得手段）
１６  対応領域探索部（対応領域探索手段）
１７  オブジェクトカラー決定部（オブジェクトカラー決定手段）
１８  対応領域カラー決定部（対応領域カラー決定手段）
２１  領域分割部（領域分割手段）
２４  特徴量獲得部
２５  特徴量類似判定部
２９  色距離計算部
３０  照明変化判定部
３５  重み付け計算部
【図１】
2007194802.tif 000003
【図２】
2007194802.tif 000004
【図３】
2007194802.tif 000005
【図４】
2007194802.tif 000006
【図５】
2007194802.tif 000007
【図６】
2007194802.tif 000008
【図７】
2007194802.tif 000009
【図８】
2007194802.tif 000010
【図９】
2007194802.tif 000011
【図１０】
2007194802.tif 000012
【図１１】
2007194802.tif 000013
【図１２】
2007194802.tif 000014
【図１３】
2007194802.tif 000015
【図１４】
2007194802.tif 000016
【図１５】
2007194802.tif 000017